(57)【要約】【課題】見栄えの良い状態で折りたたんで収納できる蛇腹状の印刷物を提供する。【解決手段】印刷物１は、蛇腹部２と前記長手方向他端側で接続され折り畳んだ状態の蛇腹部２の厚みに対応して２本の折り線１２で蛇腹部２の折り畳んだ側部を内側として谷状に折れるようにしたマチ１１と、マチ１１の蛇腹部２と反対側にマチ１１の２本の折り線１２の一本で接続され、折り畳んだ状態の蛇腹部２に当該折り線１２で折れて重なる表紙２１と、２１表紙とはマチ１１と反対側で接続され折り畳んだ状態の前記蛇腹部の厚みに対応して２本の折り線３２で蛇腹部２の折り畳んだ側部を内側として谷状に折れるようにしたマチ３１と、マチ３１の蛇腹部２と反対側にマチ３１の２本の折り線３２の一本で接続され、折り畳んだ状態の蛇腹部２に当該折り線３２で折れて重なる表紙４１とをそなえている。【選択図】図３
2017127983.tif 000002
【特許請求の範囲】
【請求項１】
長尺状の印刷物であって、
長手方向一端側に設けられ蛇腹状に折り畳める蛇腹部と、
前記蛇腹部と前記長手方向他端側で接続され折り畳んだ状態の前記蛇腹部の厚みに対応して２本の折り線で前記蛇腹部の折り畳んだ側部を内側として谷状に折れるようにした第１のマチと、
前記第１のマチの前記蛇腹部と反対側に前記第１のマチの２本の折り線の一本で接続され、折り畳んだ状態の前記蛇腹部に当該折り線で折れて重なる第１の表紙と、
前記第１の表紙とは前記第１のマチと反対側で接続され折り畳んだ状態の前記蛇腹部の厚みに対応して２本の折り線で前記蛇腹部の折り畳んだ側部を内側として谷状に折れるようにした第２のマチと、
前記第２のマチの前記蛇腹部と反対側に前記第２のマチの２本の折り線の一本で接続され、折り畳んだ状態の前記蛇腹部に当該折り線で折れて重なる第２の表紙と、
を備えることを特徴とする印刷物。
【請求項２】
蛇腹状に折られた蛇腹部と、
前記蛇腹部の一端側に、折りたたまれた状態の前記蛇腹部を収容する収容部を有し、
前記収容部は、第１のマチと第２のマチとを備え、
前記第１のマチと前記第２のマチの幅寸法は折り畳まれた状態の前記蛇腹部の厚さに応じて決定されていることを特徴とする印刷物。
【請求項３】
前記蛇腹部、前記第１のマチ、前記第１の表紙、前記第２のマチ、前記第２の表紙には両面とも印刷がなされていることを特徴とする請求項１に記載の印刷物。
【発明の詳細な説明】
【技術分野】
【０００１】
本発明は、印刷物に関する。
【背景技術】
【０００２】
例えば特許文献１には、ロール紙から見掛け上１枚状の両面印刷物を複数枚蛇腹状に連続して有する蛇腹状印刷物の作成が可能なプリンタについて開示されている。
この技術に限らず、長尺状で蛇腹状に折り畳むことができる印刷物について知られている。
【先行技術文献】
【特許文献】
【０００３】
【特許文献１】特開２０１０−２２８９１９号公報
【発明の概要】
【発明が解決しようとする課題】
【０００４】
しかしながら、蛇腹状印刷物を折り畳んで収納しようとすると、折り畳んだ状態の蛇腹状印刷物の側面部において多くの折り目が重なった状態に見える。
そのため、蛇腹状印刷物を折り畳んで収納しようとしても、見栄えがあまり良くないという問題があった。
特に近年は蛇腹状印刷物のフォトブックが制作されており、このようなフォトブックを見栄え良く畳んで収納し、運ぶことは重要となっている。
そこで、本発明の目的は見栄えの良い状態で折りたたんで収納できる蛇腹状の印刷物を提供することである。
【課題を解決するための手段】
【０００５】
本発明は、長尺状の印刷物であって、長手方向一端側に設けられ蛇腹状に折り畳める蛇腹部と、前記蛇腹部と前記長手方向他端側で接続され折り畳んだ状態の前記蛇腹部の厚みに対応して２本の折り線で前記蛇腹部の折り畳んだ側部を内側として谷状に折れるようにした第１のマチと、前記第１のマチの前記蛇腹部と反対側に前記第１のマチの２本の折り線の一本で接続され、折り畳んだ状態の前記蛇腹部に当該折り線で折れて重なる第１の表紙と、前記第１の表紙とは前記第１のマチと反対側で接続され折り畳んだ状態の前記蛇腹部の厚みに対応して２本の折り線で前記蛇腹部の折り畳んだ側部を内側として谷状に折れるようにした第２のマチと、前記第２のマチの前記蛇腹部と反対側に前記第２のマチの２本の折り線の一本で接続され、折り畳んだ状態の前記蛇腹部に当該折り線で折れて重なる第２の表紙と、を備えることを特徴とする印刷物である。
別の本発明は、蛇腹状に折られた蛇腹部と、前記蛇腹部の一端側に、折りたたまれた状態の前記蛇腹部を収容する収容部を有し、前記収容部は、第１のマチと第２のマチとを備え、前記第１のマチと前記第２のマチの幅寸法は折り畳まれた状態の前記蛇腹部の厚さに応じて決定されていることを特徴とする印刷物である。
【発明の効果】
【０００６】
本発明によれば、見栄えの良い状態で折りたたんで収納できる蛇腹状の印刷物を提供することができる。
【図面の簡単な説明】
【０００７】
【図１】本発明の一実施形態である印刷物の正面図である。
【図２】本発明の一実施形態である印刷物の上面図である。
【図３】本発明の一実施形態である印刷物の側面図である。
【図４】本発明の一実施形態である印刷物を折り畳む手順について説明する説明図である。
【図５】本発明の一実施形態である印刷物を折り畳む手順について説明する説明図である。
【図６】本発明の一実施形態である印刷物を折り畳む手順について説明する説明図である。
【図７】本発明の別実施形態である印刷物の上面図である。
【発明を実施するための形態】
【０００８】
以下本発明の一実施形態について説明する。
【０００９】
図１は、本実施形態の印刷物の正面図であり、図２は、同上面図である。図３は、同斜視図である。この印刷物１は長尺状であり、適宜、折り線が形成されているが、図１の例は折り線を延ばして平坦なシートとして図示し、図２、図３の例は折り線による印刷物１の折れ状態がわかるように図示している。また、図１では、長手方向の一部を切欠いて図示している。
【００１０】
印刷物１の長手方向一端側（右側）の多くの部分は、印刷物１が蛇腹状に折り畳める蛇腹部２をなしている。すなわち、印刷物１の長手方向に折り線３が山、谷、山、谷というように交互に出現し、蛇腹部２を折り線３で蛇腹状に折り畳むことができる。隣り合う２本の折り線３の間に存在する各シート４は全て同じ大きさの矩形状である。
【００１１】
（第１の）マチ１１は、印刷物１の長手方向他端側（左側）で、蛇腹部２と接続されている。マチ１１は、折り畳んだ状態の蛇腹部２の厚みに対応している。すなわち、蛇腹状に折り畳んだ蛇腹部２の厚みと、２本の折り線１２で区切られたマチ１１の幅とは略同一である。マチ１１は、２本の折り線１２で、蛇腹部２の折り畳んだ側部５（図５）を内側として谷状（コの字形）に折れる。
【００１２】
（第１の）表紙２１は、マチ１１の蛇腹部２とは反対側に、マチ１１の２本の折り線１２のうちの一本で接続されている。表紙２１は、印刷物１の表紙となるシートで、大きさは前記シート４と略同じ大きさの矩形状である。表紙２１は、折り畳んだ状態の蛇腹部２にマチ１１との境界となる折り線１２で折れて重なることができる。
【００１３】
（第２の）マチ３１は、表紙２１とはマチ１１と反対側で、折り線３２で接続されている。マチ３１は、折り畳んだ状態の蛇腹部２の厚みに対応している。すなわち、蛇腹状に折り畳んだ蛇腹部２の厚みと、２本の折り線３２で区切られたマチ１１の幅とは略同一である。マチ３１は、２本の折り線３２で蛇腹部２の折り畳んだ側部５を内側として谷状（コの字形）に折れる。
（第２の）表紙４１は、マチ３１の蛇腹部２と反対側にマチ３１の２本の折り線３２の一本で接続されている。表紙２１は、印刷物１の表紙となるシートで、大きさは前記シート４と略同じ大きさの矩形状である。表紙４１は、折り畳んだ状態の蛇腹部２にマチ３１との境界となる折り線３２で折れて重なることができる。
印刷物１の蛇腹部２、マチ１１、表紙２１、マチ３１、表紙４１には両面とも所定の印刷がなされている。
次に、印刷物１を折り畳む手順について説明する。
まず、図４に示すように、蛇腹部２を矢印ａ方向に蛇腹状に折り畳む。
次に、図５に示すように、マチ１１の両側の折り線１２で折って、マチ１１を蛇腹部２の折り畳んだ両側部５の一方にあてがうようにする。そして、表紙２１は、折り畳んだ状態の蛇腹部２の上に重なるようにする（矢印ｂ方向）。このとき、マチ１１は、蛇腹部２を内側にしてコの字状に折り曲げられている。
次に、図５に示すように、マチ３１の両側の折り線３２で折って、マチ３１を蛇腹部２の折り畳んだ両側部５の他方にあてがうようにする。そして、表紙４１は、折り畳んだ状態の蛇腹部２の上に重なるようにする（矢印ｃ方向）。このとき、マチ１１は、蛇腹部２を内側にしてコの字状に折り曲げられている。
以上の手順により折り畳みが完了したのが、図６の印刷物１である。
【００１４】
この図６の形状から明らかなように、印刷物１は、蛇腹状に折られた蛇腹部２と、蛇腹部２の一端側に、折りたたまれた状態の蛇腹部２を収容する収容部５１（表紙２１，４１、並びにマチ１１，３１）を有している。そして、この収容部５１は、（第１の）マチ１１と（第２の）マチ３１とを備え、マチ１１とマチ３１の幅寸法は折り畳まれた状態の前記蛇腹部２の厚さに応じて決定されていることになる。
この図６の状態では、蛇腹部２の折り畳んだ両側部５がマチ１１、３１で隠れて見えない。よって印刷物１として見栄えが良い。
さらに、蛇腹部２をによっても覆っているので、蛇腹部２が直接見えにくく、この点でも見栄えが良い。
また、図７に示すように、表紙４１は表紙２１やシート４より短寸であってもよい。また、蛇腹部２と、表紙２１や、表紙４１とは互いにマジックテープ（登録商標）を設けて相互に着脱自在としてもよい。
なお、折り線１２，３２は、紙折り機を使用して形成してもよいし、手動で形成するようにしてもよい。
【符号の説明】
【００１５】
１      印刷物
２      蛇腹部
１１    （第１の）マチ
１２    折り線
２１    （第１の）表紙
３１    （第２の）マチ
３２    折り線
４１    （第２の）表紙
５１    収容部
【図１】
2017127983.tif 000003
【図２】
2017127983.tif 000004
【図３】
2017127983.tif 000005
【図４】
2017127983.tif 000006
【図５】
2017127983.tif 000007
【図６】
2017127983.tif 000008
【図７】
2017127983.tif 000009